(57)【要約】      （修正有）【課題】使用時、聴診器を使用することなく、常にそれ自体で患部内の血流状態をチェックすることができる止血バンドを提供する。【解決手段】患部のある肢体を締め付けるためのものであって表面及び裏面の両面を有するバンド４と、前記バンドの裏面４２に設置されていて前記患部を押圧し止血する圧迫手段５と、を備えている止血バンドであって、前記圧迫手段５に内蔵されていて前記患部内の血流状態を感知して感知信号を発信するセンサーと、前記センサーに連結されていて前記感知信号を受信して前記患部内の血流状態を表示する表示ユニット７と、を更に備えて、止血バンドを構成する。【選択図】図１
0003159768.tif 000002
【実用新案登録請求の範囲】
【請求項１】
患部のある肢体を締め付けるためのものであって表面及び裏面の両面を有するバンドと、前記バンドの裏面に設置されていて前記患部を押圧し止血する圧迫手段と、を備えている止血バンドであって、
前記圧迫手段に内蔵されていて前記患部内の血流状態を感知して感知信号を発信するセンサーと、
前記センサーに連結されていて前記感知信号を受信して前記患部内の血流状態を表示する表示ユニットと、
を更に備えていることを特徴とする、止血バンド。
【請求項２】
患部のある肢体を締め付けるためのものであって表面及び裏面の両面を有するバンドと、前記バンドの裏面に設置されていて前記患部を押圧し止血する圧迫手段と、を備えている止血バンドであって、
前記圧迫手段は、中空構造になっている上、前記バンドの表面の方に開口を有するように形成されており、また、
前記圧迫手段に内蔵されていて前記患部内の血流状態を感知して感知信号を発信するセンサーと、
前記開口を通して前記センサーに連結されていて前記感知信号を受信して前記患部内の血流状態を表示する表示ユニットと、
を更に備えていることを特徴とする止血バンド。
【請求項３】
前記圧迫手段は、大底面及び小底面の二底面を有する錐台形状の本体と、前記錐台形状の本体の小底面から突起して前記バンドを裏面から表面に貫通している円環部と、前記バンドの表面側から前記円環部と接続している上、周りに張り出して前記バンドの表面と当接しているフランジ部とから構成されており、
また、前記開口は、前記フランジ部の中心近くに開けてあることを特徴とする、請求項２に記載の止血バンド。
【請求項４】
前記圧迫手段の大底面は、弾性フィルムから構成されており、また、前記センサーは、その感知面が常に前記弾性フィルムの裏面に当接するように設置されていることを特徴とする、請求項３に記載の止血バンド。
【請求項５】
前記圧迫手段の大底面は、赤外線を通過させることができ、
前記センサーは、前記圧迫手段の大底面を介して前記患部に赤外線を投射し、反射された赤外線の強さの変化を感知して感知信号を発信する赤外線センサーであることを特徴とする、請求項４に記載の止血バンド。
【請求項６】
前記バンドの表面には、布切れが、前記フランジ部を押さえて前記圧迫手段を固定するように縫い付けられており、
また、前記布切れの中心近くに、通孔が、前記フランジ部の中心近くに開けてある開口と連通するように形成されていることを特徴とする、請求項４に記載の止血バンド。
【請求項７】
前記表示ユニットは、それに接続している配線と、前記配線の先端に接続しているプラグと、を更に備えており、
また、前記プラグは、前記通孔、そして前記開口を通って前記センサーと連結されていることを特徴とする、請求項６に記載の止血バンド。
【請求項８】
前記バンドの両端には、互いに係合できる面ファスナが設置されており、
また、前記表示ユニットは、前記バンドの表面における、前記布切れに近い箇所に固定されていることを特徴とする、請求項７に記載の止血バンド。
【請求項９】
前記表示ユニットは、使用者の五感の少なくとも一つを刺激するシグナルを発する警報器であることを特徴とする、請求項１〜８のいずれか一項に記載の止血バンド。
【考案の詳細な説明】
【技術分野】
【０００１】
本考案は、止血バンドに関し、特に、患部内の血流状態をチェックすることもできる止血バンドに関する。
【背景技術】
【０００２】
血液透析を行った後、患者の動静脈フィステルの近くにある静脈の傷口を圧迫して止血をする必要がある。このとき、動静脈フィステルを通過する、圧力の高い血流に対して止血するため、止血するのに長時間かかるので、通常、止血バンドが使われる。
しかし、止血バンドが長時間使われると、動静脈フィステルに止血血栓ができ、この止血血栓が多くできると動静脈フィステルを損害するおそれがあるので、一般的には止血バンドを使用すると同時に、止血バンドを緩めたり再び締め付けたりするタイミングを測るために聴診器で患部内の血流状態をチェックしなければならず、かなり面倒である。
【考案の概要】
【考案が解決しようとする課題】
【０００３】
本考案は、前記問題点に鑑みてなされたもので、使用時に聴診器を使用することなく、常にそれ自体で患部内の血流状態をチェックすることができる止血バンドの提供を目的とする。
【課題を解決するための手段】
【０００４】
前記目的を達成するため、本考案は、患部のある肢体を締め付けるためのものであって表裏両面を有するバンドと、前記バンドの裏面に設置されていて前記患部を押圧し止血する圧迫手段と、を備えている止血バンドであって、前記圧迫手段に内蔵されていて前記患部内の血流状態を感知して感知信号を発信するセンサーと、前記センサーに連結されていて前記感知信号を受信して前記患部内の血流状態を表示する表示ユニットと、を更に備えていることを特徴とする止血バンドを提供する。特に、患部のある肢体を締め付けるためのものであって表裏両面を有するバンドと、前記バンドの裏面に設置されていて前記患部を押圧し止血する圧迫手段と、を備えている止血バンドであって、前記圧迫手段は、中空構造になっている上、前記バンドの表面の方に開口を有するように形成されており、また、前記圧迫手段に内蔵されていて前記患部内の血流状態を感知して感知信号を発信するセンサーと、前記開口を通して前記センサーに連結されていて前記感知信号を受信して前記患部内の血流状態を表示する表示ユニットと、を更に備えていることを特徴とする止血バンドを提供する。
【考案の効果】
【０００５】
上記構成による本考案の止血バンドは、その圧迫手段に内蔵されていて前記患部内の血流状態を感知して感知信号を発信するセンサーと、前記センサーに連結されていて前記感知信号を受信して前記患部内の血流状態を表示する表示ユニットと、を更に備えているので、使用時に聴診器を使用することなく、常にそれ自体で患部内の血流状態をチェックすることができる。
【０００６】
この考案の上述の目的，その他の目的，特徴及び利点は、図面を参照して行う以下の考案を実施するための最良の形態の詳細な説明から一層明らかとなろう。
【図面の簡単な説明】
【０００７】
【図１】本考案の止血バンドの実施例を説明する斜視図である。
【図２】図１の止血バンドにおける、バンドの長さ方向に沿って縦断した部分断面図である。
【図３】図１の止血バンドで患部のある肢体を締め付ける際の状態を示す説明図である。
【考案を実施するための形態】
【０００８】
以下、図１〜図３を参照しながら、本考案の止血バンドの実施例を説明する。
（実施例）
図１〜図３に示すように、本考案の止血バンドは、患部（図示せず）のある肢体２００を締め付けるためのものであって、表面４１及び裏面４２の両面を有するバンド４と、バンド４の裏面４２に設置されていてその患部を押圧し止血する圧迫手段５と、前記圧迫手段５に内蔵されていて患部内の血流状態を感知して感知信号を発信するセンサー６と、前記センサー６に連結されていて前記感知信号を受信して前記患部内の血流状態を表示する表示ユニット７と、を備えている。
【０００９】
本実施例におけるバンド４は、腕用のものであるので、人の腕を縛ることができる程度の長さがあり、その両端には、互いに係合できる一対の面ファスナ４５及び面ファスナ４５が設置されている。この一対の面ファスナ４５及び面ファスナ４５は、一方がループ又は鈎状体を有し、他方に前記ループ又は鈎状体に係止されるきの子状体又は凸起等を有するものである。図１に示すように、一つがバンド４の表面４１に配置され、他の一つがバンド４の裏面４２に配置されている。
図に示されていないが、腿用または胴体用であれば、バンド４がより長く、更に面ファスナも長く延在しており、それによって肢体の縛り具合を調整できる万能型も採用できる。
【００１０】
本実施例における圧迫手段５の材料は、プラスチック材を採用しているが、金属などの防水材料を採用しても良い。
図２に示すように、圧迫手段５は、大底面５１１及び小底面５１２の二底面を有する錐台形状の本体５１と、本体５１の小底面５１２から突起してバンド４を裏面４２から表面４１に貫通している円環部５２と、バンド４の表面４１側から円環部５２と接続している上、周りに張り出してバンド４の表面４１と当接しているフランジ部５３とから構成されている。
【００１１】
フランジ部５３は、図２に示すように、扁平状円形に構成されており、その中心近くには、円形開口５３１が開けてあり、該開口５３１は、円環部５２の中孔より小さく形成されている。
また、該開口５３１は、円環部５２の中孔と同心に配置され連通状態になっている。
【００１２】
本体５１は、図２に示すように、中空構造になっている上、該中空部５１０が開口５３１と連通するように小底面５１２に開口している。
本体５１における大底面５１１は、図２に示すように、肉厚がやや薄い弾性フィルムから構成されているので、患部に密接して圧力を均一にかけることができ、センサー６の感知を妨害することもない。
本体５１は、大底面５１１以外の部分が大底面５１１を構成する弾性フィルムと一体成形された弾性を有するもので構成され、比較的厚く形成され、使用中に殆ど変形しないように構成されている。
本実施例において、本体５１と大底面５１１にある弾性フィルムとは一体成形されている。ただし、本実施例以外の実施形態では、本体５１と大底面５１１にある弾性フィルムとが必ずしも一体成形されているとは限らない。
【００１３】
バンド４を貫通している円環部５２は、図２に示すように、バンド４の表裏両側にあるフランジ部５３と本体５１とに挟持されてバンド４に固定されており、それによって圧迫手段５のバンド４に対する相対位置が保持されている。
そして、図１に示すように、バンド４の表面４１には、四方形の布切れ８が、外側からバンド４の表面４１と共にフランジ部５３を挟持して押さえるように縫い付けられている。布切れ８のバンド４に対する縫い付けは、布切れ８の周縁に沿って施されている。この構造により、圧迫手段５のバンド４に対する固定が、更に丈夫になっている。
【００１４】
また、図示されるように、布切れ８の中心近くに、通孔８１が形成され、該通孔８１は、フランジ部５３の中心近くに開けてある開口５３１と連通するように形成されている。
【００１５】
図２に示すように、本体５１に内蔵されているセンサー６は、その感知面６１が本体５１における大底面５１１としての弾性フィルムの裏面と当接するように設置されている。
【００１６】
本実施例におけるセンサー６は、大底面５１１を構成する弾性フィルムを介して外側の音声変化を感知できる音声センサーとしての小型マイクである。この小型マイクは、動静脈フィステル内の微小な血流音を収録して表示ユニット７に送信する。
【００１７】
表示ユニット７は、図１及び図２に示すように、バンド４の表面４１における、布切れ８に近い箇所に固定されている。表示ユニット７に、配線７１が接続され、配線７１の先端に接続しているプラグ７２が、通孔８１、そして開口５３１を通って、本体５１に内蔵されているセンサー６と取外し可能に連結することができるように構成されている。
本実施例における表示ユニット７は、音声型の警報器であり、即ち、センサー６としての小型マイクが収録した動静脈フィステル内の微小な血流音を増幅させて患者に聞こえるようにするためのスピーカーである。
【００１８】
上記の構成による本実施例の止血バンドを使用する際、まず、図３に示すように、出血している患部（図示せず）に圧迫手段５を直接に当ててから面ファスナ４５と面ファスナ４５との係合位置を調整しながらバンド４を肢体２００を締め付けて固定することで、患部を圧迫手段５で圧迫する。
次いで、表示ユニット７における配線７１の先端にあるプラグ７２を、通孔８１及び開口５３１に通して圧迫手段５に内蔵されているセンサー６と連結する（図１、図２参照）。
【００１９】
本実施例の止血バンドは、その圧迫手段５によって止血をすると共に、そのセンサー６としての小型マイクで大底面５１１を構成する弾性フィルムに圧迫される患部内の動静脈フィステル内の血流音を収録してから、表示ユニット７としてのスピーカーで血流の音を増幅させ、患者に聞こえるようにすることができる。
本実施例の止血バンドは、動静脈フィステル内の血流音が小さくなると、動静脈フィステルに止血血栓ができ、動静脈フィステルを損害するおそれがあることを意味するので、止血バンドを一時的に緩めて止血を中断し、そして、止血バンドが緩められている状態において動静脈フィステル内の血流音が正常になると、血栓問題が解消されたことを意味するので、止血バンドを再び締め付けて止血を続行する、という方法で使用される。
これにより、本実施例の止血バンドは、使用時、聴診器を必要とせず、自動的に音声警報を発信することで、止血バンドを緩めたり再び締め付けたりするタイミングを患者に知らせることができる。
【００２０】
なお、本考案の止血バンドにおけるセンサー６としては、動静脈フィステル内に勢いよく流れる血液によるスリル（ｔｈｒｉｌｌ）現象が、圧迫手段５における弾性フィルムにかかる圧力を感知して感知信号を発信する圧力センサーが挙げられる。
また、動静脈フィステルにおける血液は、その量が赤血球の量と正比例になり、つまり、血液の量がヘモグロビンの量と正比例になるので、動静脈フィステルにおけるヘモグロビンの量の変化を測定することで、動静脈フィステルにおける血流状態をチェックすることができる。
そして、ヘモグロビンは、赤外線を吸収する性質を持つので、ヘモグロビンの量の変化は、赤外線を投射し、反射されてきた赤外線の強さの変化によって測定できる。
それによって、本考案の止血バンドにおけるセンサーとしては、患部に赤外線を投射し、反射された赤外線の強さの変化を、患部内の動静脈フィステルにおける血液のヘモグロビンの量の変化として感知して感知信号を発信する、赤外線センサーが挙げられる。また、このような赤外線センサーを使用するには、圧迫手段における大底面として、赤外線を通過させることができる透明の弾性フィルムを使用することが好ましい。
【００２１】
このような赤外線センサーが付いた止血バンドは、反射され、赤外線センサーによって感知された赤外線が強くなると、動静脈フィステルに止血血栓ができ、動静脈フィステルを損害するおそれがあることを意味するので、止血バンドを一時的に緩めて止血を中断し、そして、止血バンドが緩められている状態において反射された赤外線が弱くなると、血栓問題が解消されたことを意味するので、止血バンドを再び締め付けて止血を続行する、という方法で使用される。
【００２２】
さらに、本考案の止血バンドの表示ユニットは、本実施例の他にも、使用者の視覚、触覚などを刺激するシグナルを発する警報器であっても良い。例えば、前記感知信号の変化によって映像を表示できるモニター付き警報器、前記感知信号の変化によって異なる匂いのガスを放出できるガス放出式警報器、前記感知信号の変化によってその外形を変えて患者の皮膚を刺激できる外形変化式警報器、前記感知信号の変化によって異なる味の液体を放出できる液体放出式警報器、又はそれらを組み合わせてなった警報器など、聴覚障害のある患者にも適用できる非音声型警報器であっても良い。
【００２３】
本考案の止血バンドにおける表示ユニットを交換する場合、元の表示ユニットにおけるプラグをセンサーから外し、前記元の表示ユニットのバンドの表面との固定を解除し、その後、新しい表示ユニットをバンドの表面に固定し、該新しい表示ユニットにおけるプラグを通孔に通し、そして開口に通してセンサーに連結する、という手順で簡単に交換できる。
【産業上の利用可能性】
【００２４】
上述したように、本考案の止血バンドは、患部を圧迫して止血をすると共に、患部内の血流状態をチェックすることもできるので、医療現場での使用において非常に便利である。
また、本考案の止血バンドでは、患者の状態に合わせてその表示ユニットを簡単に交換できるので、大多数の患者のニーズに答えられる。
【符号の説明】
【００２５】
２００患部のある肢体
４バンド
４１バンドの表面
４２バンドの裏面
４３バンドの一端部
４４バンドの他端部
４５面ファスナ
５圧迫手段
５１本体
５１０中空部
５１１大底面
５１２小底面
５２円環部
５３フランジ部
５３１開口
６センサー
６１感知面
７表示ユニット
７１配線
７２プラグ
８布切れ
８１通孔
【図１】
0003159768.tif 000003
【図２】
0003159768.tif 000004
【図３】
0003159768.tif 000005